(57)【要約】【課題】電子レンジが運転中であってもデータ通信を行うことができ、装置の稼働時間をロスすることなく稼働効率の向上を図った画像形成装置を提供する。【解決手段】無線ＬＡＮ３を介してＰＣ２と通信可能な通信装置１１を備える画像形成装置１において、通信装置１１の構成として、電子レンジ５の動作状況を取得する動作状況取得部１１１、ＰＣ２との通信モードを設定する通信モード設定部１１２、通信モード設定部１１２による通信モードの設定をＰＣ２に送信する送信部１１３を備え、通信モード設定部１１２は、電子レンジ５の情報に基づき、電子レンジ５が運転中であると判断された場合は、ＰＣ２との無線による通信モードをブロック送信モードに設定する機能と、電子レンジ５が運転中ではないと判断された場合は、ＰＣ２との無線による通信モードを一括送信モードに設定する機能とを備えることを特徴とする。【選択図】図１
2013225786.tif 000002
【特許請求の範囲】
【請求項１】
ネットワークを介して外部の情報機器と通信可能な通信装置を備え、前記通信装置により受信された印刷データに基づき画像を出力する画像形成装置において、
前記通信装置は、ネットワークを介して高周波加熱手段を備えた電気機器の動作状況を取得する動作状況取得部と、前記情報機器と通信を行う時の通信モードを設定する通信モード設定部と、を備え、
前記通信モード設定部は、前記動作状況取得部により取得した前記電気機器の情報に基づき、前記電気機器が運転中であると判断された場合は、前記情報機器との無線による通信モードを、印刷データを一定サイズのブロック単位で送信するブロック送信モードに設定する機能と、前記電気機器が運転中ではないと判断された場合は、前記情報機器との無線による通信モードを、一括で印刷データを送信する一括送信モードに設定する機能と、を備えることを特徴とする画像形成装置。
【請求項２】
前記動作状況取得部は、前記情報機器からの無線通信の要求に基づき前記電気機器の動作状況を取得することを特徴とする請求項１に記載の画像形成装置。
【請求項３】
前記通信装置は、前記通信モード設定部による通信モードの設定を無線通信を用いて前記情報機器に送信する送信部を備えることを特徴とする請求項１または２に記載の画像形成装置。
【発明の詳細な説明】
【技術分野】
【０００１】
本発明は、画像形成装置に係り、特に、ネットワークを介して外部の情報機器と通信可能な通信装置を備え、前記通信装置により受信された印刷データに基づき画像を出力する画像形成装置に関する。
【背景技術】
【０００２】
従来、ネットワーク（通信回線）を使用してクライアントデバイスと通信可能に接続された画像形成装置において、クライアントデバイスから送信される印刷データは、通常一括で送信されていた。この印刷データは、ネットワーク上ではパケット単位で転送するが、上位層では一括のデータとして扱われる。
【０００３】
無線ＬＡＮによって構築されたネットワークにおいては、電子レンジなどの無線ＬＡＮと同じ周波数帯の電波を発生する高周波加熱手段を有する機器が稼働することにより、電波状況が悪化し、ネットワークが切断されることがある。このような場合、画像形成装置においては、クライアントデバイス等から一括で送信されている印刷データが途中で送信エラーとなり、印刷処理が途中で失敗するという問題が生じていた。
【０００４】
そこで、このような問題を解決するために、従来技術として、例えば、画像形成装置において、電子レンジの運転中はデータ通信に影響を及ぼすため、電子レンジの運転の終了後にデータ通信を行うようにしたものが提案されている（特許文献１を参照）。
【０００５】
このように構成することで、画像形成装置において、電子レンジが運転中に生じる高周波電波の影響を受けることなく安定してデータ通信を行うことができる。
【先行技術文献】
【特許文献】
【０００６】
【特許文献１】特開２００５−５７５９号公報
【発明の概要】
【発明が解決しようとする課題】
【０００７】
しかしながら、特許文献１に記載の画像形成装置では、電子レンジを運転中の時間が活用できない無駄な時間となっていた。しかも、従来でも電子レンジが運転中であっても通信は成功することもあり、電子レンジを運転中はデータ通信ができないことは、画像形成装置の稼働時間をロスしてしまうという問題があった。
【０００８】
本発明は、上記従来の問題点に鑑みてなされたものであって、電子レンジが運転中であってもデータ通信を行うことができ、装置の稼働時間をロスすることなく稼働効率の向上を図った画像形成装置を提供することを目的とする。
【課題を解決するための手段】
【０００９】
上述した課題を解決するための本発明に係る画像形成装置は、次の通りである。
【００１０】
本発明は、ネットワークを介して外部の情報機器（例えば、クライアントの情報端末装置）と通信可能な通信装置を備え、前記通信装置により受信された印刷データに基づき画像を出力する画像形成装置において、前記通信装置の構成として、ネットワークを介して（例えば、通信回線を利用して）高周波加熱手段を備えた電気機器（例えば、電子レンジ）の動作状況を取得する動作状況取得部と、前記情報機器と通信を行う時の通信モードを設定する通信モード設定部と、を備え、前記通信モード設定部の構成として、前記動作状況取得部により取得した前記電気機器の情報に基づき、前記電気機器が運転中であると判断された場合は、前記情報機器との無線による通信モードを、印刷データを一定サイズのブロック単位で送信するブロック送信モード（ブロック通信）に設定する機能と、前記電気機器が運転中ではないと判断された場合は、前記情報機器との無線による通信モードを、一括で印刷データを送信する一括送信モード（一括通信）に設定する機能と、を備えることを特徴とするものである。
【００１１】
また、本発明は、前記動作状況取得部により、前記情報機器からの無線通信の要求（例えば、画像出力指示）に基づき前記電気機器の動作状況を取得することが好ましい。
【００１２】
また、本発明は、前記通信装置の構成として、前記通信モード設定部による通信モードの設定を無線通信を用いて前記情報機器に送信する送信部を備えることが好ましい。
【発明の効果】
【００１３】
本発明の画像形成装置によれば、ネットワークを介して外部の情報機器（例えば、クライアントの情報端末装置）と通信可能な通信装置を備え、前記通信装置により受信された印刷データに基づき画像を出力する画像形成装置において、前記通信装置の構成として、ネットワークを介して（例えば、通信回線を利用して）高周波加熱手段を備えた電気機器（例えば、電子レンジ）の動作状況を取得する動作状況取得部と、前記情報機器と通信を行う時の通信モードを設定する通信モード設定部と、を備え、前記通信モード設定部の構成として、前記動作状況取得部により取得した前記電気機器の情報に基づき、前記電気機器が運転中であると判断された場合は、前記情報機器との無線による通信モードを、印刷データを一定サイズのブロック単位で送信するブロック送信モード（ブロック通信）に設定する機能と、前記電気機器が運転中ではないと判断された場合は、前記情報機器との無線による通信モードを、一括で印刷データを送信する一括送信モード（一括通信）に設定する機能と、を備えることで、前記電気機器の運転によって電波状況が悪化し、ネットワーク遮断によってデータ転送が途中で中断しても、ネットワーク復旧後にブロック単位でデータ送信を復旧することができるので、転送エラーになることなくデータ送信を行うことができる。また、前記電気機器が運転していない場合は、より送信速度の速い一括送信によりデータ送信を行うことができる。これにより、例えば、電子レンジが運転中であってもデータ通信を行うことができ、画像形成装置の稼働時間をロスすることなく稼働効率の向上を図ることができる。
【００１４】
また、本発明によれば、前記動作状況取得部により、前記情報機器からの無線通信の要求（例えば、画像出力指示）に基づき前記電気機器の動作状況を取得することで、データ通信が行われる際に、前記電気機器の動作状況に応じた通信モードを設定することができる。
【００１５】
また、本発明によれば、前記通信装置の構成として、前記通信モード設定部による通信モードの設定を無線通信を用いて前記情報機器に送信する送信部を備えることで、前記情報機器において前記電気機器の動作状況に応じた通信モードによりデータ送信を行うことができる。
【図面の簡単な説明】
【００１６】
【図１】本発明の実施形態に係る画像形成装置の構成を示す説明図である。
【図２】前記画像形成装置における電子レンジの運転状況に応じたデータ送信の工程を示すフローチャートである。
【図３】前記画像形成装置におけるデータ通信を一括送信モードにより行う場合の工程を示すフローチャートである。
【図４】前記画像形成装置におけるデータ通信をブロック送信モードにより行う場合の工程を示すフローチャートである。
【図５】本実施形態におけるクライアントのＰＣ側のデータ通信を行う場合の工程の一部を示すフローチャートである。
【図６】図５に示す前記クライアントのＰＣ側のデータ通信を行う場合の工程に続くデータ通信を行う工程を示すフローチャートである。
【発明を実施するための形態】
【００１７】
以下、本発明を実施するための形態について図面を参照して説明する。
図１は本発明を実施する形態の一例であって、本発明の実施形態に係る画像形成装置の構成を示す説明図である。
【００１８】
本実施形態は、図１に示すように、外部から伝達された画像データに応じて、所定の用紙（例えば、記録用紙）に対して、電子写真方式によりトナーを用いて多色及び単色の画像を形成する画像形成装置１であって、この画像形成装置１の特徴的な構成として、本発明に係る画像形成装置の構成を採用したものである。
【００１９】
具体的には、画像形成装置１は、図１に示すように、無線ＬＡＮ（ネットワーク）３を介して外部のＰＣ（情報機器として、例えば、クライアントの情報端末装置）２と通信可能な通信装置１１を備えている。そして、通信装置１１により受信された画像データ（印刷データ）に基づき画像を出力する。そして、画像形成装置１は、有線ＬＡＮ（ネットワーク）４を介して高周波加熱手段を備えた電子レンジ（電気機器）５と接続されている。
【００２０】
次に、本実施形態に係る画像形成装置１を構成する特徴的な通信装置１１の構成について説明する。
通信装置１１は、有線ＬＡＮ４を介して電子レンジ５の動作状況を取得する動作状況取得部１１１と、無線ＬＡＮ３を介してＰＣ２と通信を行う時の通信モードを設定する通信モード設定部１１２と、通信モード設定部１１２による通信モードの設定を無線ＬＡＮ３を用いてＰＣ２に送信する送信部１１３と、を備えたことを特徴としている。
【００２１】
動作状況取得部１１１は、ＰＣ２からの無線通信の要求、例えば、画像出力を行う指示に基づき、電子レンジ５の動作状況を取得するようになっている。
なお、電子レンジ５から、例えば、運転中または停止中であることを、動作状況が変化する時に、動作状況取得部１１１に対して通知するようにしてもよい。
【００２２】
通信モード設定部１１２は、動作状況取得部１１１により取得した電子レンジ５の情報（運転状況）に基づき、電子レンジ５が運転中であると判断された場合は、ＰＣ２との無線による通信モードを、印刷データを一定サイズのブロック単位で送信するブロック送信モード（ブロック通信）に設定する機能と、電子レンジ５が運転中ではないと判断された場合は、ＰＣ２との無線による通信モードを、一括で印刷データを送信する一括送信モード（一括通信）に設定する機能と、を備えている。
【００２３】
次に、本実施形態の画像形成装置１において、外部のＰＣ２とのデータ通信により印刷処理を行う工程についてフローチャートに沿って説明する。
図２は本実施形態の画像形成装置における電子レンジの運転状況に応じたデータ送信の工程を示すフローチャート、図３は前記画像形成装置におけるデータ通信を一括送信モードにより行う場合の工程を示すフローチャート、図４は前記画像形成装置におけるデータ通信をブロック送信モードにより行う場合の工程を示すフローチャートである。
【００２４】
本実施形態の画像形成装置１において、外部のＰＣ２とのデータ通信により印刷処理を行う場合は以下のように実行される。
図２に示すように、画像形成装置１において印刷処理が実行されると、まず、クライアントからデータ通信を行う通信モードの要求があったか否かが判断される（ステップＳ１）。
【００２５】
ステップＳ１において、クライアントのＰＣ２からデータ通信を行う通信モードの要求があったと判断された場合は、通信装置１１において動作状況取得部１１１により電子レンジ５の動作状況が取得される（ステップＳ２）。一方、ステップＳ１において、クライアントからデータ通信を行う通信モードの要求がないと判断された場合は、再びステップＳ１に戻り、クライアントからの通信要求の有無の判断が繰り返される。
【００２６】
そして、ステップＳ２において動作状況取得部１１１により電子レンジ５の動作状況が取得されると、その取得された動作状況の情報に基づき、電子レンジ５が稼働（運転）中か否かが判断される（ステップＳ３）。
【００２７】
ステップＳ３において、電子レンジ５が稼働中であると判断された場合は、通信モード設定部１１２において、ＰＣ２から画像形成装置１にデータ送信を行う通信モードをブロック送信モードに設定する（ステップＳ４）。そして、送信部１１３により通信モードをブロック送信モードに設定することをＰＣ２に通知する（ステップＳ５）。
【００２８】
ここで、クライアントのＰＣ２側では、通信モードの通知がブロック送信モードであれば、印刷データを一定サイズのブロック単位（例えば1kbyte単位）で画像形成装置１に送信する。データには、データ位置を特定出来る様にブロック単位で連番付加しておく。
【００２９】
画像形成装置１では、1ブロックのデータを受信完了後、次ブロックの送信要求を、クライアントのＰＣ２に送信する。クライアントのＰＣ２側では、次ブロックの送信要求を受信すると、次のブロックを送信する。
【００３０】
ネットワークの遮断が有った場合、ネットワークが復旧次第、同じブロックを送信する。
一定期間、次ブロックの送信要求が来ない場合も、同じブロックを再送する。
印刷データを全て送信し終えた場合は、終了データブロックを送信する。
【００３１】
このようにして、ＰＣ２から画像形成装置１に対してブロック送信モードによりデータ通信が行われ（ステップＳ６）、その印刷データに基づいて出力処理が実行される（ステップＳ７）。
【００３２】
一方、ステップＳ３において、電子レンジ５が稼働中ではないと判断された場合は、通信モード設定部１１２において、ＰＣ２から画像形成装置１にデータ送信を行う通信モードを一括送信モードに設定する（ステップＳ８）。そして、送信部１１３により通信モードを一括送信モードに設定することをＰＣ２に通知する（ステップＳ９）。
【００３３】
そして、ＰＣ２から画像形成装置１に対して一括送信モードによりデータ通信が行われ（ステップＳ１０）、その印刷データに基づいて出力処理が実行される（ステップＳ７）。
【００３４】
次に、画像形成装置１において、クライアントのＰＣ２によるデータ通信が一括送信モードで実行される場合について説明する。
【００３５】
図３に示すように、画像形成装置１において一括送信モードによるデータ通信（一括データ受信）が開始されると、通信装置１１によりデータを受信するか否かが判断される（ステップＳ１１）。
【００３６】
ステップＳ１１において、通信装置１１によりデータを受信すると判断された場合は、データ受信が開始され（ステップＳ１２）、受信されたデータは印刷データバッファの末尾に追加される（ステップＳ１３）。一方、ステップＳ１１において、通信装置１１によりデータを受信しないと判断された場合は、再びステップＳ１１に戻り、データ受信の有無の判断が繰り返される。
【００３７】
そして、受信されたデータにエラーが発生したか否かが判断される（ステップＳ１４）。ステップＳ１４において、受信データにエラーが発生していないと判断された場合は、データ受信が終了したか否かが判断される（ステップＳ１５）。ステップＳ１５において、データ受信が終了したと判断された場合は、一括送信モードによるデータ通信の開始に戻る。
【００３８】
一方、ステップＳ１４において、受信データにエラーが発生したと判断された場合は、印刷データバッファをクリアにして（ステップＳ１６）、データの再送を要求する（ステップＳ１７）。そして、ステップＳ１１に戻り、データ受信を待つ。
【００３９】
また、ステップＳ１５において、データ受信が終了していないと判断された場合も、ステップＳ１１に戻り、データ受信を待つ。
このようにして、画像形成装置１によるＰＣ２との一括送信モードによるデータ通信が行われる。
【００４０】
次に、画像形成装置１において、クライアントのＰＣ２によるデータ通信がブロック送信モードで実行される場合について説明する。
【００４１】
図４に示すように、画像形成装置１においてブロック送信モードによるデータ通信（ブロックデータ受信）が開始されると、通信装置１１によりデータ受信が終了したか否かが判断される（ステップＳ２１）。
【００４２】
ステップＳ２１において、通信装置１１によりデータ受信が終了したと判断された場合は、一時受信バッファにデータが収納されたか否かが判断される（ステップＳ２２）。
【００４３】
ステップＳ２２において、一時受信バッファにデータが収納されたと判断された場合は、一時受信バッファの内容を印刷データバッファの末尾に追加して（ステップＳ２３）、ブロック送信モードによるデータ通信の開始に戻る。また、ステップＳ２２において、一時受信バッファにデータが収納されていないと判断された場合は、ブロック送信モードによるデータ通信の開始に戻る。
【００４４】
一方、ステップＳ２１において、通信装置１１によりデータ受信が終了していないと判断された場合は、データ通信がブロックデータ受信であるか否かが判断される（ステップＳ２４）。
【００４５】
ステップＳ２４において、データ通信がブロックデータ受信ではないと判断された場合は、ステップＳ２１に戻り、通信装置１１によりデータ受信が終了したか否かの判断が繰り返される。一方、ステップＳ２４において、データ通信がブロックデータ受信であると判断された場合は、ブロックデータを受信する（ステップＳ２５）。
【００４６】
そして、受信されたデータにエラーが発生したか否かが判断される（ステップＳ２６）。ステップＳ２６において、受信データにエラーが発生したと判断された場合は、受信したブロックデータをクリアして（ステップＳ２７）、ブロックデータの再送を要求する（ステップＳ２８）。そして、ステップＳ２１に戻り、ブロックデータの受信を待つ。
【００４７】
一方、ステップＳ２６において、受信データにエラーが発生していないと判断された場合は、初回のデータ受信であるか否かが判断される（ステップＳ２９）。ステップＳ２９において、初回のデータ受信ではないと判断された場合は、受信データは印刷データバッファの末尾に追加され（ステップＳ３０）、その受信データは一時受信バッファへ移動される（ステップＳ３１）一方、ステップＳ２９において、初回のデータ受信であると判断された場合は、その受信データは一時受信バッファへ移動される（ステップＳ３１）。
【００４８】
そして、次にブロックデータの要求をクライアントのＰＣ２に送信して（ステップＳ３２）、ステップＳ２１に戻り、通信装置１１によりデータ受信が終了したか否かの判断が繰り返される。
このようにして、画像形成装置１によるＰＣ２とのブロック送信モードによるデータ通信が行われる。
【００４９】
次に、本実施形態のクライアントのＰＣ側において、画像形成装置１とデータ通信を行う工程についてフローチャートに沿って説明する。
図５は本実施形態におけるクライアントのＰＣ側のデータ通信を行う場合の工程の一部を示すフローチャート、図６は図５に示す前記クライアントのＰＣ側のデータ通信を行う場合の工程に続くデータ通信を行う工程を示すフローチャートである。
【００５０】
本実施形態のクライアントのＰＣ２側において、画像形成装置１とのデータ通信を行う場合は以下のように実行される。
図５,図６に示すように、クライアントのＰＣ２においてデータ通信処理が実行されると、まず、印刷モードが起動する（ステップＳ１０１）。そして、印刷をするデータ（印刷候補データ）がＰＣ２の表示部に表示され（ステップＳ１０２）、印刷データが選択される（ステップＳ１０３）。
【００５１】
ステップＳ１０３において、印刷データが選択されると、画像形成装置１にデータ通信を行う通信モードを要求する（ステップＳ１０４）。そして、画像形成装置１から通信モードの通知があったか否かが判断される（ステップＳ１０５）。
【００５２】
すなわち、画像形成装置１は、ＰＣ２からデータ通信を行う通信モードが要求されると、有線ＬＡＮ（ネットワーク）４上に接続されている電子レンジ５の情報を取得し、稼働状態であれば、通信モードをブロック送信モードとして、ＰＣ２に通知する。
【００５３】
ステップＳ１０５において、画像形成装置１から通信モードの通知がないと判断された場合は、所定時間を経過してタイムアウトとなるか否かが判断される（ステップＳ１０６）。ステップＳ１０６において、タイムアウトであると判断された場合は、ＰＣ２の表示部にタイムアウトとなった旨を表示して（ステップＳ１０７）、データ通信処理を終了する。一方、ステップＳ１０６において、タイムアウトになっていない場合は、ステップＳ１０５に戻り、通信モードの通知を確認する。
【００５４】
一方、ステップＳ１０５において、画像形成装置１から通信モードの通知があったと判断された場合は、その通信モードがブロック送信モードであるか否かが判断される（ステップＳ１０８）。
【００５５】
ステップＳ１０８において、通信モードがブロック送信モードであると判断された場合は、印字データを所定のサイズのブロック単位（例えば1kbyte単位）に分割して（ステップＳ１０９）、１ブロック分のデータを送信する（ステップＳ１１０）。
【００５６】
そして、データの再送の要求があるか否かが判断される（ステップＳ１１１）。ステップＳ１１１において、データの再送の要求があったと判断された場合は、１ブロック分のデータを再送し（ステップＳ１１２）、ステップＳ１１１に戻る。一方、ステップＳ１１１において、データの再送の要求がないと判断された場合は、次のブロック分のデータの要求があるか否かが判断される（ステップＳ１１３）。
【００５７】
ステップＳ１１３において、次のブロック分のデータの要求があると判断された場合は、ステップＳ１１０に戻り、１ブロック分のデータを送信する。一方、ステップＳ１１３において、次のブロックデータの要求がないと判断された場合は、送信されるデータが終了したか否かが判断される（ステップＳ１１４）。
【００５８】
ステップＳ１１４において、送信されるデータが終了していないと判断された場合は、ステップＳ１１１に戻り、送信するデータの有無が再度確認される。
【００５９】
一方、ステップＳ１１４において、送信されるデータが終了したと判断された場合は、データ送信が終了したことを画像形成装置１に通知して（ステップＳ１１５）、画像形成装置１とのデータ通信は終了する。
【００６０】
前に戻り、ステップＳ１０８において、通信モードがブロック送信モードではないと判断された場合は、印刷データにおける送信位置を始めの位置にセットして（ステップＳ１１６）、印刷データを送信する（ステップＳ１１７）。
【００６１】
そして、画像形成装置１よりデータの再送要求の有無が判断される（ステップＳ１１８）。ステップＳ１１８において、データの再送要求が有ると判断された場合は、再びステップＳ１１６に戻り、始めからデータ送信が行われる。一方、ステップＳ１１８において、データの再送要求が無いと判断された場合は、送信されるデータが終了したか否かが判断される（ステップＳ１１９）。
【００６２】
ステップＳ１１９において、送信されるデータが終了していないと判断された場合は、ステップＳ１１６に戻り、始めからデータ送信が行われる。
【００６３】
一方、ステップＳ１１９において、送信されるデータが終了したと判断された場合は、データ送信が終了したことを画像形成装置１に通知して（ステップＳ１１５）、画像形成装置１とのデータ通信は終了する。
このようにして、クライアントのＰＣ２による画像形成装置１とのデータ通信が行われる。
【００６４】
以上のように構成したので、本実施形態によれば、無線ＬＡＮ３を介して外部のクライアントのＰＣ２と通信可能な通信装置１１を備え、通信装置１１により受信された印刷データに基づき画像を出力する画像形成装置１において、通信装置１１の構成として、有線ＬＡＮ４を介して電子レンジ５の動作状況を取得する動作状況取得部１１１と、ＰＣ２と通信を行う時の通信モードを設定する通信モード設定部１１２と、通信モード設定部１１２による通信モードの設定を無線通信を用いてＰＣ２に送信する送信部１１３と、を備え、通信モード設定部１１２は、動作状況取得部１１１により取得した電子レンジ５の情報に基づき、電子レンジ５が運転中であると判断された場合は、ＰＣ２との無線による通信モードを、印刷データを一定サイズのブロック単位で送信するブロック送信モードに設定する機能と、電子レンジ５が運転中ではないと判断された場合は、ＰＣ２との無線による通信モードを、一括で印刷データを送信する一括送信モードに設定する機能と、を備えることで、電子レンジ５の運転中に発生する無線ＬＡＮ３と同じ周波数帯の電波によって電波状況が悪化し、ネットワーク遮断によってデータ転送が途中で中断しても、ネットワーク復旧後にブロック単位で送信するブロック送信モードによりデータ送信を復旧することができるので、転送エラーになることなくデータ送信を行うことができる。また、電子レンジ５を運転していない場合は、より送信速度の速い一括送信モードによりデータ送信を行うことができる。これにより、電子レンジ５などの電気機器が運転中であってもデータ通信を行うことができるので、画像形成装置１の稼働時間をロスすることなく稼働効率の向上を図ることができる。
【００６５】
なお、本実施形成では、画像形成装置１、クライアントのＰＣ２及び電気機器として電子レンジ５を、有線ＬＡＮ４及び無線ＬＡＮ３を用いてそれぞれ接続するようにしているが、本発明はこれに限定されるものではなく、通信回線を利用したネットワークを介して接続するものであってもよい。
【００６６】
以上のように、本発明は、上述した実施形態や変形例に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６７】
１  画像形成装置
２  ＰＣ（情報機器）
３  無線ＬＡＮ（ネットワーク）
４  有線ＬＡＮ（ネットワーク）
５  電子レンジ（電気機器）
１１  通信装置
１１１  動作状況取得部
１１２  通信モード設定部
１１３  送信部
【図１】
2013225786.tif 000003
【図２】
2013225786.tif 000004
【図３】
2013225786.tif 000005
【図４】
2013225786.tif 000006
【図５】
2013225786.tif 000007
【図６】
2013225786.tif 000008